【手続補正書】
【提出日】平成23年11月11日(2011.11.11)
【手続補正１】
【補正対象書類名】特許請求の範囲
【補正対象項目名】全文
【補正方法】変更
【補正の内容】
【特許請求の範囲】
【請求項１】
画像形成装置に接続され、情報処理装置から送信された印刷データを受け付けるネットワークインタフェース装置であって、
前記情報処理装置から送信されたユーザ識別情報を含む印刷データを受け付ける印刷データ受付手段と、
前記印刷データ受付手段によって受け付けられた印刷データを記憶手段に格納する印刷データ格納手段と、
前記印刷データ格納手段で格納した印刷データの印刷データ識別情報とユーザ識別情報を含む書誌情報を記憶する書誌情報記憶手段と、
前記画像形成装置でのユーザのオフライン操作による前記画像形成装置のオフライン状態を示すオフライン情報を取得する状態取得手段と、
前記画像形成装置を利用するために用いられる読取手段で読取媒体を読み取ることによって、ユーザを識別するユーザ識別情報を受け付けるユーザ識別情報受付手段と、
前記ユーザ識別情報受付手段でユーザ識別情報を受け付け、且つ、前記状態取得手段でオフライン情報を取得した場合に、前記記憶手段から印刷データを削除するべく、前記書誌情報から特定された当該ユーザ識別情報に対応する印刷データ識別情報に従って削除要求を出力する削除要求出力手段と
を備えることを特徴とするネットワークインタフェース装置。
【請求項２】
前記画像形成装置がエラー状態か否かを判定するエラー判定手段を更に備え、
前記削除要求出力手段は、前記状態取得手段でオフライン情報を取得し、且つ、前記エラー判定手段でエラー状態でないと判定される場合に前記削除要求を出力することを特徴とする請求項１に記載のネットワークインタフェース装置。
【請求項３】
前記状態取得手段は、前記画像形成装置のオンライン状態を示すオンライン情報を取得し、
前記ユーザ識別情報受付手段でユーザ識別情報を受け付け、且つ、前記状態取得手段で、オンライン情報を取得した場合に、前記記憶手段の印刷データを前記画像形成装置で印刷するべく、前記書誌情報から特定された当該ユーザ識別情報に対応する印刷データ識別情報に従って印刷要求を出力する印刷要求出力手段と
を更に備えることを特徴とする請求項１又は２に記載のネットワークインタフェース装置。
【請求項４】
オフライン時に前記記憶手段の印刷データを削除するオフライン削除モードか否かを判定するオフライン削除モード判定手段と、
前記オフライン削除モード判定手段で、オフライン削除モードであると判定された場合に、前記状態取得手段で前記画像形成装置のオフライン情報又はオンライン情報を取得することを特徴とする請求項３に記載のネットワークインタフェース装置。
【請求項５】
前記削除要求出力手段で前記削除要求を出力したのち、前記画像形成装置をオンラインとするべく、オンライン要求を出力するオンライン要求出力手段
を更に備えることを特徴とする請求項１乃至４のいずれか１項に記載のネットワークインタフェース装置。
【請求項６】
前記オフライン状態は、前記画像形成装置に備えるオフライン／オンラインボタンがユーザに押下されることによって前記画像形成装置がオフライン状態になることを特徴とする請求項１乃至５のいずれか１項に記載のネットワークインタフェース装置。
【請求項７】
前記状態取得手段でオンライン情報を取得した場合に、前記書誌情報から特定された前記ユーザ識別情報受付手段で受け付けたユーザ識別情報に対応する印刷データ識別情報を所定時間ユーザに通知すべく当該画像形成装置に印刷データ識別情報を送信する印刷データ識別情報送信手段を更に備え、
前記削除要求出力手段は、前記印刷データ識別情報送信手段によって前記印刷データ識別情報を送信することでユーザに所定時間通知する間に前記ユーザ識別情報受付手段によって受け付けた前記ユーザ識別情報に対応する読取媒体が前記読取手段で読み取られた場合、通知されている前記印刷データ識別情報に対応する印刷データを前記記憶手段から削除するように削除要求を出力する
ことを特徴とする請求項１乃至６のいずれか１項に記載のネットワークインタフェース装置。
【請求項８】
前記ユーザ識別情報受付手段によって受け付けた前記ユーザ識別情報を記憶するユーザ識別情報記憶手段を更に備え、
前記削除要求出力手段は、印刷データ識別情報送信手段によって前記印刷データ識別情報を送信することでユーザに所定時間通知する間に前記ユーザ識別情報受付手段によって受け付けた前記ユーザ識別情報と、前記ユーザ識別情報記憶手段によって記憶している前記ユーザ識別情報とが一致した場合に印刷データの削除要求を出力することを特徴とする請求項７に記載のネットワークインタフェース装置。
【請求項９】
前記削除要求出力手段で出力する削除要求は、前記記憶手段から削除する印刷データの印刷データ識別情報を含むことを特徴とする請求項１乃至８のいずれか１項に記載のネットワークインタフェース装置。
【請求項１０】
前記ネットワークインタフェース装置は、ユーザの認証を行う認証サーバと通信し、
前記ユーザ識別情報受付手段は、前記認証サーバで認証されたユーザ識別情報を受け付けること
を特徴とする請求項１乃至９のいずれか１項に記載のネットワークインタフェース装置。
【請求項１１】
画像形成装置に接続され、情報処理装置から送信された印刷データを受け付けるネットワークインタフェース装置の制御方法であって、
前記インタフェース装置が、
前記情報処理装置から送信されたユーザ識別情報を含む印刷データを受け付ける印刷データ受付ステップと、
前記印刷データ受付ステップによって受け付けられた印刷データを記憶手段に格納する印刷データ格納ステップと、
前記印刷データ格納ステップで格納した印刷データの印刷データ識別情報とユーザ識別情報を含む書誌情報を記憶手段に記憶する記憶ステップと、
前記画像形成装置でのユーザのオフライン操作による前記画像形成装置のオフライン状態を示すオフライン情報を取得する状態取得ステップと、
前記画像形成装置を利用するために用いられる読取手段で読取媒体を読み取ることによって、ユーザを識別するユーザ識別情報を受け付けるユーザ識別情報受付ステップと、
前記ユーザ識別情報受付ステップでユーザ識別情報を受け付け、且つ、前記状態取得ステップでオフライン情報を取得した場合に、前記記憶手段から印刷データを削除するべく、前記書誌情報から特定された当該ユーザ識別情報に対応する印刷データ識別情報に従って削除要求を出力する削除要求出力ステップと
を実行することを特徴とするネットワークインタフェース装置の制御方法。
【請求項１２】
画像形成装置に接続され、情報処理装置から送信された印刷データを受け付けるネットワークインタフェース装置を機能させるプログラムあって、
前記インタフェース装置を
前記情報処理装置から送信されたユーザ識別情報を含む印刷データを受け付ける印刷データ受付手段と、
前記印刷データ受付手段によって受け付けられた印刷データを記憶手段に格納する印刷データ格納手段と、
前記印刷データ格納手段で格納した印刷データの印刷データ識別情報とユーザ識別情報を含む書誌情報を記憶する書誌情報記憶手段と、
前記画像形成装置でのユーザのオフライン操作による前記画像形成装置のオフライン状態を示すオフライン情報を取得する状態取得手段と、
前記画像形成装置を利用するために用いられる読取手段で読取媒体を読み取ることによって、ユーザを識別するユーザ識別情報を受け付けるユーザ識別情報受付手段と、
前記ユーザ識別情報受付手段でユーザ識別情報を受け付け、且つ、前記状態取得手段でオフライン情報を取得した場合に、前記記憶手段から印刷データを削除するべく、前記書誌情報から特定された当該ユーザ識別情報に対応する印刷データ識別情報に従って削除要求を出力する削除要求出力手段
として機能させることを特徴とするプログラム。
【請求項１３】
情報処理装置から送信された印刷データを受け付ける画像形成装置であって、
前記情報処理装置から送信されたユーザ識別情報を含む印刷データを受け付ける印刷データ受付手段と、
前記印刷データ受付手段によって受け付けられた印刷データを記憶手段に格納する印刷データ格納手段と、
前記印刷データ格納手段で格納した印刷データの印刷データ識別情報とユーザ識別情報を含む書誌情報を記憶する書誌情報記憶手段と、
画像形成装置でのユーザのオフライン操作による当該画像形成装置のオフライン状態を示すオフライン情報を取得する状態取得手段と、
当該画像形成装置を利用するために用いられる読取手段で読取媒体を読み取ることによって、ユーザを識別するユーザ識別情報を受け付けるユーザ識別情報受付手段と、
前記ユーザ識別情報受付手段でユーザ識別情報を受け付け、且つ、前記状態取得手段でオフライン情報を取得した場合に、前記記憶手段から印刷データを削除するべく、前記書誌情報から特定された当該ユーザ識別情報に対応する印刷データ識別情報に従って削除要求を出力する削除要求出力手段と
を備えることを特徴とする画像形成装置。
【請求項１４】
情報処理装置から送信された印刷データを受け付ける画像形成装置の制御方法であって、
前記画像形成装置が、
前記情報処理装置から送信されたユーザ識別情報を含む印刷データを受け付ける印刷データ受付ステップと、
前記印刷データ受付ステップによって受け付けられた印刷データを記憶手段に格納する印刷データ格納ステップと、
前記印刷データ格納ステップで格納した印刷データの印刷データ識別情報とユーザ識別情報を含む書誌情報を記憶手段に記憶する記憶ステップと、
画像形成装置でのユーザのオフライン操作による当該画像形成装置のオフライン状態を示すオフライン情報を取得する状態取得ステップと、
当該画像形成装置を利用するために用いられる読取手段で読取媒体を読み取ることによって、ユーザを識別するユーザ識別情報を受け付けるユーザ識別情報受付ステップと、
前記ユーザ識別情報受付ステップでユーザ識別情報を受け付け、且つ、前記状態取得ステップでオフライン情報を取得した場合に、前記記憶手段から印刷データを削除するべく、前記書誌情報から特定された当該ユーザ識別情報に対応する印刷データ識別情報に従って削除要求を出力する削除要求出力ステップと
を実行することを特徴とする画像形成装置の制御方法。
【請求項１５】
情報処理装置から送信された印刷データを受け付ける画像形成装置を機能させるプログラムあって、
前記画像形成装置を
前記情報処理装置から送信されたユーザ識別情報を含む印刷データを受け付ける印刷データ受付手段と、
前記印刷データ受付手段によって受け付けられた印刷データを記憶手段に格納する印刷データ格納手段と、
前記印刷データ格納手段で格納した印刷データの印刷データ識別情報とユーザ識別情報を含む書誌情報を記憶する書誌情報記憶手段と、
画像形成装置でのユーザのオフライン操作による当該画像形成装置のオフライン状態を示すオフライン情報を取得する状態取得手段と、
当該画像形成装置を利用するために用いられる読取手段で読取媒体を読み取ることによって、ユーザを識別するユーザ識別情報を受け付けるユーザ識別情報受付手段と、
前記ユーザ識別情報受付手段でユーザ識別情報を受け付け、且つ、前記状態取得手段でオフライン情報を取得した場合に、前記記憶手段から印刷データを削除するべく、前記書誌情報から特定された当該ユーザ識別情報に対応する印刷データ識別情報に従って削除要求を出力する削除要求出力手段
として機能させることを特徴とするプログラム。
【手続補正２】
【補正対象書類名】明細書
【補正対象項目名】発明の名称
【補正方法】変更
【補正の内容】
【発明の名称】ネットワークインタフェース装置と画像形成装置、およびその制御方法とプログラム
【手続補正３】
【補正対象書類名】明細書
【補正対象項目名】００１２
【補正方法】変更
【補正の内容】
【００１２】
前述した目的を達成するために、画像形成装置に接続され、情報処理装置から送信された印刷データを受け付けるネットワークインタフェース装置であって、前記情報処理装置から送信されたユーザ識別情報を含む印刷データを受け付ける印刷データ受付手段と、前記印刷データ受付手段によって受け付けられた印刷データを記憶手段に格納する印刷データ格納手段と、前記印刷データ格納手段で格納した印刷データの印刷データ識別情報とユーザ識別情報を含む書誌情報を記憶する書誌情報記憶手段と、前記画像形成装置でのユーザのオフライン操作による前記画像形成装置のオフライン状態を示すオフライン情報を取得する状態取得手段と、前記画像形成装置を利用するために用いられる読取手段で読取媒体を読み取ることによって、ユーザを識別するユーザ識別情報を受け付けるユーザ識別情報受付手段と、前記ユーザ識別情報受付手段でユーザ識別情報を受け付け、且つ、前記状態取得手段でオフライン情報を取得した場合に、前記記憶手段から印刷データを削除するべく、前記書誌情報から特定された当該ユーザ識別情報に対応する印刷データ識別情報に従って削除要求を出力する削除要求出力手段とを備えることを特徴とする。
【手続補正４】
【補正対象書類名】明細書
【補正対象項目名】００１３
【補正方法】変更
【補正の内容】
【００１３】
また、ネットワークインタフェース装置は、前記画像形成装置がエラー状態か否かを判定するエラー判定手段を更に備え、前記削除要求出力手段は、前記状態取得手段でオフライン情報を取得し、且つ、前記エラー判定手段でエラー状態でないと判定される場合に前記削除要求を出力することを特徴とする。
【手続補正５】
【補正対象書類名】明細書
【補正対象項目名】００１４
【補正方法】変更
【補正の内容】
【００１４】
また、ネットワークインタフェース装置は、前記状態取得手段は、前記画像形成装置のオンライン状態を示すオンライン情報を取得し、前記ユーザ識別情報受付手段でユーザ識別情報を受け付け、且つ、前記状態取得手段で、オンライン情報を取得した場合に、前記記憶手段の印刷データを前記画像形成装置で印刷するべく、前記書誌情報から特定された当該ユーザ識別情報に対応する印刷データ識別情報に従って印刷要求を出力する印刷要求出力手段とを更に備えることを特徴とする。
【手続補正６】
【補正対象書類名】明細書
【補正対象項目名】００１５
【補正方法】変更
【補正の内容】
【００１５】
また、ネットワークインタフェース装置は、オフライン時に前記記憶手段の印刷データを削除するオフライン削除モードか否かを判定するオフライン削除モード判定手段と、前記オフライン削除モード判定手段で、オフライン削除モードであると判定された場合に、前記状態取得手段で前記画像形成装置のオフライン情報又はオンライン情報を取得することを特徴とする。
【手続補正７】
【補正対象書類名】明細書
【補正対象項目名】００１６
【補正方法】変更
【補正の内容】
【００１６】
また、ネットワークインタフェース装置は、前記削除要求出力手段で前記削除要求を出力したのち、前記画像形成装置をオンラインとするべく、オンライン要求を出力するオンライン要求出力手段を更に備えることを特徴とする。
【手続補正８】
【補正対象書類名】明細書
【補正対象項目名】００１７
【補正方法】変更
【補正の内容】
【００１７】
また、ネットワークインタフェース装置は、前記オフライン状態は、前記画像形成装置に備えるオフライン／オンラインボタンがユーザに押下されることによって前記画像形成装置がオフライン状態になることを特徴とする。
【手続補正９】
【補正対象書類名】明細書
【補正対象項目名】００１８
【補正方法】変更
【補正の内容】
【００１８】
また、ネットワークインタフェース装置は、前記状態取得手段でオンライン情報を取得した場合に、前記書誌情報から特定された前記ユーザ識別情報受付手段で受け付けたユーザ識別情報に対応する印刷データ識別情報を所定時間ユーザに通知すべく当該画像形成装置に印刷データ識別情報を送信する印刷データ識別情報送信手段を更に備え、前記削除要求出力手段は、前記印刷データ識別情報送信手段によって前記印刷データ識別情報を送信することでユーザに所定時間通知する間に前記ユーザ識別情報受付手段によって受け付けた前記ユーザ識別情報に対応する読取媒体が前記読取手段で読み取られた場合、通知されている前記印刷データ識別情報に対応する印刷データを前記記憶手段から削除するように削除要求を出力することを特徴とする。
【手続補正１０】
【補正対象書類名】明細書
【補正対象項目名】００１９
【補正方法】変更
【補正の内容】
【００１９】
また、ネットワークインタフェース装置は、前記ユーザ識別情報受付手段によって受け付けた前記ユーザ識別情報を記憶するユーザ識別情報記憶手段を更に備え、前記削除要求出力手段は、印刷データ識別情報送信手段によって前記印刷データ識別情報を送信することでユーザに所定時間通知する間に前記ユーザ識別情報受付手段によって受け付けた前記ユーザ識別情報と、前記ユーザ識別情報記憶手段によって記憶している前記ユーザ識別情報とが一致した場合に印刷データの削除要求を出力することを特徴とする。
【手続補正１１】
【補正対象書類名】明細書
【補正対象項目名】００２０
【補正方法】変更
【補正の内容】
【００２０】
また、ネットワークインタフェース装置は、前記削除要求出力手段で出力する削除要求は、前記記憶手段から削除する印刷データの印刷データ識別情報を含むことを特徴とする。
【手続補正１２】
【補正対象書類名】明細書
【補正対象項目名】００２１
【補正方法】変更
【補正の内容】
【００２１】
また、ネットワークインタフェース装置は、ユーザの認証を行う認証サーバと通信し、前記ユーザ識別情報受付手段は、前記認証サーバで認証されたユーザ識別情報を受け付けることを特徴とする。
【手続補正１３】
【補正対象書類名】明細書
【補正対象項目名】００２２
【補正方法】変更
【補正の内容】
【００２２】
また、前述した目的を達成するために、情報処理装置から送信された印刷データを受け付ける画像形成装置であって、前記情報処理装置から送信されたユーザ識別情報を含む印刷データを受け付ける印刷データ受付手段と、前記印刷データ受付手段によって受け付けられた印刷データを記憶手段に格納する印刷データ格納手段と、前記印刷データ格納手段で格納した印刷データの印刷データ識別情報とユーザ識別情報を含む書誌情報を記憶する書誌情報記憶手段と、画像形成装置でのユーザのオフライン操作による当該画像形成装置のオフライン状態を示すオフライン情報を取得する状態取得手段と、当該画像形成装置を利用するために用いられる読取手段で読取媒体を読み取ることによって、ユーザを識別するユーザ識別情報を受け付けるユーザ識別情報受付手段と、前記ユーザ識別情報受付手段でユーザ識別情報を受け付け、且つ、前記状態取得手段でオフライン情報を取得した場合に、前記記憶手段から印刷データを削除するべく、前記書誌情報から特定された当該ユーザ識別情報に対応する印刷データ識別情報に従って削除要求を出力する削除要求出力手段とを備えることを特徴とする。
【手続補正１４】
【補正対象書類名】明細書
【補正対象項目名】００２３
【補正方法】変更
【補正の内容】
【００２３】
また、前述のネットワークインタフェース装置および画像形成装置の制御方法と、前述のネットワークインタフェース装置および画像形成装置を機能させるプログラムであることを特徴とする。